(57)【要約】      （修正有）【課題】前庭側（すなわち、前歯においては唇側、臼歯においては頬側）だけでなく舌側においても天然歯に似た審美性等を備えた人工歯およびその製造方法を提供する。【解決手段】基底部型７とコア用の前庭側型８ａおよび舌側型８ｂによって形成されたキャビティ内に、コア用の餅状またはペースト状レジンが填入され重合することでコア２が成形され、該コアが前記基底部型上に残置されてボディの前庭側型９ａおよび舌側型９ｂによって形成されたキャビティ内に、ボディ用の餅状またはペースト状レジンが填入され重合することで、ボディ３が積層成形され、次いで、コアにボディが積層成形された積層体を基底部型上に残置し、エナメル層用の前庭側型１０ａおよび舌側型１０ｂによって形成されたキャビティ内に、エナメル層用の餅状またはペースト状レジンが填入され重合することで、エナメル被覆層４が積層成形されてなる。【選択図】    図３
2004298599.tif 000002
【特許請求の範囲】
【請求項１】
基底部型とコア用の前庭側型および舌側型によって形成されたキャビティ内に、コア用の餅状またはペースト状レジンが填入され重合することでコアが成形され、該コアが前記基底部型上に残置されて外層用の前庭側型および舌側型によって形成されたキャビティ内に、外層用の餅状またはペースト状レジンが填入され重合することで、前記コアの少なくとも基底面を除いて、前記コアに少なくとも一層の外層が積層成形されてなる人工歯であって、最外層がエナメル被覆層として成形されてなることを特徴とする人工歯。
【請求項２】
前記人工歯の歯冠形状が、歯頸部においてアンダーカットとなっているものであることを特徴とする請求項１記載の人工歯。
【請求項３】
基底部型とコア用の前庭側型および舌側型によって形成されたキャビティ内に、コア用の餅状またはペースト状レジンを填入して重合させてコアを成形し、該コアを前記基底部型上に残置して外層用の前庭側型および舌側型によって形成されたキャビティ内に、外層用の餅状またはペースト状レジンを填入して重合させて、前記コアの少なくとも基底面を除いて、前記コアに少なくとも一層の外層を積層成形する人工歯の製造方法であって、最外層をエナメル被覆層として成形することを特徴とする人工歯の製造方法。
【発明の詳細な説明】
【０００１】
【発明の属する技術分野】
この発明は、全部床義歯、部分床義歯等の義歯において使用される人工歯、および、その製造方法に関するものである。さらに詳しくは、この発明は、レジンからなる多層構造の人工歯とその製造方法に関するものである。
【０００２】
【従来の技術】
義歯は、既製の人工歯の中から患者に適した形状、サイズ、色調のものを選択して、義歯床に埋設固定することで製作される。そこに使用される人工歯としては、審美性等において陶歯が優れているが、高価であり、品質の一定したものが得にくいといった難点がある。これに対し、成形用型内において重合させて成形したレジンからなる人工歯は、製造が容易であり、安価で品質が安定していることから多用されている。この人工歯は、２つに分割可能な成形用型を用い、レジン等の粉末とモノマー液とを混合することで得られた餅状またはペースト状レジンを成形用型のキャビティ内に填入して重合させることで成形されるものであって、通常は、天然歯に似た審美性等を得るため、図１４に示すような多層構造が採用されている。図１４は、人工歯１０１の一例として、３層構造の上顎前歯を示しており、これは、舌側からコア１０２、ボディ層１０３、エナメル層１０４の順に唇側に向かって積層されたものである。このような人工歯１０１は、２分割成形用型によって、以下のようにして成形される。
【０００３】
すなわち、図１５（ａ）に示されるように、コア用に色調等が調整された餅状またはペースト状レジンを、舌側部型１０６とコア部型１０７によって形成されるキャビティ内に填入して重合させ、コア１０２を成形する。そして、コア１０２を舌側部型１０６に残置しコア部型１０７を取り外す。次いで、図１５（ｂ）に示されるように、コア１０２が残置されている舌側部型１０６とボディ部型１０８によって形成されるキャビティ内に、ボディ層用に色調等が調整された餅状またはペースト状レジンを填入して重合させ、ボディ層１０３をコア１０２に積層成形する。そして、コア１０２にボディ層１０３が積層された状態のまま、ボディ部型１０８だけを取り外す。次いで、図１５（ｃ）に示されるように、コア１０２とボディ層１０３が積層された状態で残置されている舌側部型１０６とエナメル部型１０９によって形成されるキャビティ内に、エナメル層用に色調等が調整された餅状またはペースト状レジンを填入して重合させ、エナメル層１０４を積層成形させる。得られた人工歯１０１は、エナメル部型１０９と舌側部型１０６を分割し、取り出せばよい。
【０００４】
図１４に示されるような多層構造の人工歯１０１は、唇側において、その多層構造のため天然歯に似た審美性等を得ることができるものの、舌側は、コアが露出しており、コアの色調がエナメル層と異なり、また、エナメル層とコアとの境界における色調等の変化が目に付いたりすることから、図１６に示すような天然の前歯１１０に比べ審美性等において満足できるまでには至っていない。
ところで、射出成形により特定のコアをエナメル層で被覆した多層構造の人工歯について、本出願人は特許文献１として出願している。この射出成形による人工歯は、射出成形機を必要とし、ランニングコストがかかる等の点から、高価となる。
【０００５】
【特許文献１】
特開２００３−３８５２７号公報（図１）
【０００６】
【発明が解決しようとする課題】
本出願人は、図１７（ａ）に示すように舌側のエナメル層１１１を舌側部型１０６と舌側のエナメル部型１１２からなる２分割成形用型によって成形し、その後、図１５において説明したと同様にして、舌側から唇側に向かい順にコア、ボディ層、唇側のエナメル層を積層成形することで、歯冠がエナメル層で被覆された人工歯を検討した。しかしながら、このような成形による人工歯では、図１７（ｂ）に示すように舌側のエナメル層１１１を成形後、その２分割成形用型を分割する際、成形された舌側のエナメル層１１１が微妙にズレたり、成形用型から落下したりし易い。とりわけ、舌側のエナメル層１１１の微妙なズレを確認することは困難である。また、舌側のエナメル層１１１がズレたり、落下した場合、元の位置に正確に戻すことは、煩雑であり、困難でもある。そして、舌側のエナメル層１１１にコアを積層成形させる際、コア用の餅状またはペースト状レジンの填入によって、舌側のエナメル層１１１が成形用型内で移動したりして不良品となり易く、また、舌側のエナメル層１１１の位置がズレたままでは、その厚さが薄いことから、コアの成形時の圧力で、舌側のエナメル層１１１が破損したりすることにもなる。また、このような方法は、成形工程が増えることになり、好ましいものとはいえない。
【０００７】
この発明は、上記のような実情に鑑み鋭意研究の結果創案されたものであり、前庭側（すなわち、前歯においては唇側、臼歯においては頬側）だけでなく舌側においても天然歯に似た審美性等を備えた人工歯およびその製造方法を提供することを目的としている。
【０００８】
【課題を解決するための手段】
上記課題を解決するために、この発明は、基底部型とコア用の前庭側型および舌側型によって形成されたキャビティ内に、コア用の餅状またはペースト状レジンが填入され重合することでコアが成形され、該コアが前記基底部型上に残置されて外層用の前庭側型および舌側型によって形成されたキャビティ内に、外層用の餅状またはペースト状レジンが填入され重合することで、前記コアの少なくとも基底面を除いて、前記コアに少なくとも一層の外層が積層成形されてなる人工歯であって、最外層がエナメル被覆層として成形されてなることを特徴とする。
【０００９】
これは、多層成形において、基底部型を共用し、内層、および外層を、各層用の前庭側型、舌側型の３つの型（すなわち、３分割成形用型）によって順次成形されたものであり、最内層をコアとし、最外層がエナメル被覆層となっており、該エナメル被覆層が歯冠部を覆っている人工歯である。基底部型を共用することにより、基底部型に対する各層用の前庭側型と舌側型の位置決めが容易かつ確実に行うことができ、目的とする形態等を備えた多層構造の人工歯が成形されることになる。これによって、前庭側（すなわち、前歯においては唇側、臼歯においては頬側）だけでなく舌側においても天然歯に似た審美性等を備えた安価な人工歯を得ることができることになる。
【００１０】
そして、前記人工歯の歯冠形状が、歯頸部においてアンダーカットとなっているものであることが好ましい。このような形状は、天然歯の歯冠に似た形状となることから、人工歯を義歯床に埋設固定した場合の義歯の審美性等が良好となる。
【００１１】
また、人工歯の製造方法の発明としては、基底部型とコア用の前庭側型および舌側型によって形成されたキャビティ内に、コア用の餅状またはペースト状レジンを填入して重合させてコアを成形し、該コアを前記基底部型上に残置して外層用の前庭側型および舌側型によって形成されたキャビティ内に、外層用の餅状またはペースト状レジンを填入して重合させて、前記コアの少なくとも基底面を除いて、前記コアに少なくとも一層の外層を積層成形する人工歯の製造方法であって、最外層をエナメル被覆層として成形することを特徴とする。
【００１２】
これによれば、前記したことから明らかなように、前庭側（すなわち、前歯においては唇側、臼歯においては頬側）だけでなく舌側においても天然歯に似た審美性等を備えた人工歯を、簡便にかつ安価に得ることができることになる。
【００１３】
なお、この発明において、「前庭側」とは、前歯においては、唇側を、臼歯においては、頬側を意味するものとして使用しているが、成形用型としての「前庭側型」と「舌側型」は、以下の説明、および、後述する実施の形態等からも明らかなように、厳密な意味で使用されているものではなく、例えば、臼歯においては、咬合面側等をも含むものである。
【００１４】
より具体的に説明すると、先ず、この発明の人工歯におけるコア、外層は、それぞれの層に適した色調等が調整された餅状またはペースト状レジン（以下、特に餅状レジンとペースト状レジンを区別しない場合は「餅状レジン等」を使用する。）が重合したものであり、重合形態としては、加熱重合が一般的であるが、これに限られるものではない。
【００１５】
この発明において用いられる餅状レジンとしては、人工歯を成形するのに使用されるものであれば特に限定されるものではないが、ポリメチルメタクリレート（ＰＭＭＡ）等の粉末状のポリマーと、メチルメタクリレート（ＭＭＡ）に例示される液体状のモノマーとを主成分とし、前記モノマーによってポリマーが膨潤し餅状となったものであって、必要に応じて、ベンゾイルパーオキサイドに例示される加熱重合触媒、着色剤、酸化安定剤、紫外線吸収剤、顔料、染料等が添加されたものを例示することができる。
【００１６】
この発明において、外層は、少なくとも前記コアの基底面を除いて積層成形されていることから、ここにおける「被覆」とは、特に断らない限り歯冠側全体を切れ目なく（すなわち、前庭側と舌側を含む）を覆っていることを意味するものとして使用されているが、後述することからも明らかなように、例えば、歯冠の一部としての歯頸部から基底部にかけては被覆されていない場合をも含むものである。
【００１７】
この発明の人工歯の多層構造は、少なくとも最内層としてのコアと、最外層としてのエナメル被覆層からなるものであればよく、２層（すなわち、最内層としてのコアと、その外層である最外層としてのエナメル被覆層）、３層（すなわち、最内層としてのコアと、その外層である中間層としてのボディ、最外層としてのエナメル被覆層）、３層以上であってもよい。
【００１８】
また、ここにおいて、「填入」は、成形用型によって形成されるキャビティに餅状レジン等を充填することと、餅状レジン等に必要とする形状を付与することとを意味するものとして使用する。餅状レジン等への形状付与は、通常、成形用型を加圧することで行われる。
【００１９】
この発明で使用する基底部型には、成形されたコアが基底部型上においてズレたりしないようにするために、保持用突部または保持用凹部が設けられていることが好ましい。保持用突起によって、コアの基底面に成型時のズレ防止用の凹部または孔が形成される。また、保持用凹部によって、コアの基底面に凸部または突起が形成される。基底部型に設けられた保持用突起または保持用凹部は、基底部型を成形された人工歯から分離する際、分離方向に対しアンダーカットにならないようになっていればよく、形状、方向等は特に限定されるものではない。保持用突起によって、コアの基底面に形成されたズレ防止用の凹部または孔は、人工歯を義歯床に埋設固定する際、この凹部または孔に義歯床用のレジンが侵入することで突起部が形成され、義歯床による人工歯の機械的維持が向上することになり、人工歯の脱落防止にとって有効となる。保持用凹部によって、コアの基底面に形成されたズレ防止用の突部または突起は、人工歯を義歯床に埋設固定することで、この突部または突起が義歯床に食い込み、義歯床による人工歯の機械的維持が向上することになり、人工歯の脱落防止にとって有効となる。
【００２０】
【発明の実施の形態】
以下、実施の形態を示し、さらに詳しくこの発明について説明する。もちろんこの発明は以下の実施の形態によって限定されるものではない。
図１は、この発明の一実施の形態である３層からなる人工歯を示す説明図である。
【００２１】
図１に示される人工歯１は、上顎切歯（前歯）として示されており、最内層としてのコア２、中間層としてのボディ３、最外層としてのエナメル被覆層４の３層からなる。そして、この人工歯１は、その基底面１ａにおいてコア２が大きく露出したものであって、ボディ３は、コア２を歯冠側において被覆しており、エナメル被覆層４はボディ３を被覆している。この人工歯１は、歯冠形状が歯頸部１ｂにおいてアンダーカットとなっており、天然歯の歯冠に似た形状となっている。また、この人工歯１には、コアに維持孔５が形成されている。
【００２２】
次に、図１に示す人工歯１の製造方法を説明する。以下においては、コア、ボディ、エナメル被覆層用に色調等が調整された餅状レジンを用いるものであって、加熱することで、餅状レジンに添加された加熱重合触媒により餅状レジンが重合するものとする。
図２は、図１に示す人工歯を製造するための成形用型であって、（ａ）に、基底部型７、（ｂ）に、コア用の唇側型８ａとコア用の舌側型８ｂ、（ｃ）に、ボディ用の唇側型９ａとボディ用の舌側型９ｂ、（ｄ）に、エナメル被覆層用の唇側型１０ａとエナメル被覆層用の舌側型１０ｂを示す。基底部型７には、ズレ防止用のピン１１が設けられている。
【００２３】
図２に示す成形用型を用いて、図１に示す人工歯１を製造するには、先ず、図３（ａ）に示すように、基底部型７、コア用の唇側型８ａ、コア用の舌側型８ｂによって形成されるキャビティ内に、コア用の餅状レジンを填入し、加熱重合させることで、コア２を成形する。そして、コア用の唇側型８ａ、コア用の舌側型８ｂを分割し、成形されたコア２が基底部型７上に残置された状態とする。コア用の唇側型８ａとコア用の舌側型８ｂとの分割において、コア２は基底部型７に設けられたピン１１によってズレたりすることがない。また、仮にコアがずれたりした場合でも、コア２に形成された維持孔５をピン１１に嵌め直すことで、コア２を基底部型７の所定の位置に容易に戻すことができる。
【００２４】
次いで、コア２が基底部型７上に残置された状態において、図３（ｂ）に示すように、コアが残置された基底部型７、ボディ用の唇側型９ａ、ボディ用の舌側型９ｂによって形成されるキャビティ内に、ボディ用の餅状レジンを填入し、加熱重合させることで、コア２にボディ３を積層成形する。そして、ボディ用の唇側型９ａ、ボディ用の舌側型９ｂを分割し、コア２にボディ３が積層された積層体が基底部型７上に残置された状態とする。ボディ用の唇側型９ａとボディ用の舌側型９ｂとの分割において、この積層体は基底部型７に設けられたピン１１によってズレたりすることがない。また、仮にこの積層体がずれたりした場合でも、コア２に形成された維持孔５をピン１１に嵌め直すことで、この積層体を基底部型７の所定の位置に容易に戻すことができる。
【００２５】
次いで、コア２にボディ３が積層された積層体が基底部型７上に残置された状態において、図３（ｃ）に示すように、積層体が残置された基底部型７、エナメル被覆層用の唇側型１０ａ、エナメル被覆層用の舌側型１０ｂによって形成されるキャビティ内に、エナメル被覆層用の餅状レジンを填入し、加熱重合させることで、２層の積層体にエナメル被覆層４を積層成形し、図１に示す人工歯１を得る。そして、エナメル被覆層用の唇側型１０ａ、エナメル被覆層用の舌側型１０ｂを分割し、次いで、成形された人工歯１を基底部型７から分離すればよい。人工歯１と基底部型７との分離は、基底部型７のピン１１が分離に妨げとならない方向（すなわち、分離方向に対しピンがアンダーカットとならない方向）に行えばよい。
【００２６】
この人工歯１は、成形用型を用い、上記したようにして製造することで得ることができるものであって、製造が簡便であって、射出成形のような機器や、レジンの溶融等を必要とせず、安価なものでもある。
この人工歯１は、コア２の基底面を除き、その外周をボディ３が被覆し、また、ボディ３の外周をエナメル被覆層４が被覆した３層構造となっており、近心側、遠心側、唇側、舌側、いずれの方向からも形状、色調を含め天然の上顎切歯と遜色のない審美性が有るものであって、図１４に示す従来の人工歯とに比べ、格段に優れた審美性を有するものである。そして、人工歯１の基底面１ａに形成された維持孔５は、義歯に使用する際には、義歯床からの脱落防止用の孔として機能する。
【００２７】
図４は、通法に従って、人工歯１の基底面１ａおよび歯頸部１ｂまでを義歯床１２に埋設固定させた状態を示す。人工歯１と義歯床１２の固定は、義歯床用の餅状レジンの重合による接着と、人工歯１の基底面１ａに形成された維持孔５の中に義歯床用の餅状レジンを侵入させ重合することで、突起状部が形成され、これによって、人工歯１と義歯床１２との接着に加え機械的維持が得られる。
従って、この製造方法によれば、天然歯と遜色のない審美性に優れ、また、義歯床からの脱落を防止するための維持孔を備えた人工歯１を容易に得ることができることになる。
【００２８】
図５は、この発明の人工歯の他の実施形態を示す説明図である。
図５に示される人工歯２１も、上顎切歯（前歯）として示されており、最内層としてのコア２２、中間層としてのボディ２３、最外層としてのエナメル被覆層２４の３層からなるものであるが、歯冠の一部としての歯頸部から基底部にかけて、ボディおよびエナメル被覆層によって被覆されておらず、コア２２が歯冠部においても露出した点が、図１に示す人工歯１と異なる。このようにコア２２の一部が歯冠部において露出していても、係る部分が義歯床に埋設されるようにすれば、外からは見えなくなることから、審美上も問題がない。コアとして義歯床と接着性の良好な素材を用いると、義歯床から脱落の防止に効果がある。
図５に示す人工歯２１の製造は、ボディ用の唇側型とボディ用の舌側型、エナメル被覆層用の唇側型とエナメル被覆層用の舌側型の形状が稍異なることを除けば、図１に示す人工歯の製造方法と同様であることから、詳細な説明は省略する。
【００２９】
図６は、この発明の人工歯の更に他の実施形態を示す説明図である。
図６に示される人工歯３１も、上顎切歯（前歯）として示されており、最内層としてのコア３２、中間層としてのボディ３３、最外層としてのエナメル被覆層３４の３層からなるものであるが、ボディ３３がコア３２の唇側だけに積層された点が、図１に示す人工歯１と異なる。
図６に示す人工歯３１の製造は、ボディ用の唇側型とボディ用の舌側型、エナメル被覆層用の唇側型とエナメル被覆層用の舌側型の形状が異なることを除けば、図１に示す人工歯の製造方法と同様であることから、詳細な説明は省略する。なお、この人工歯の場合は、ボディの形状によっては、ボディの成形において、ボディ用の唇側型に対しコア用の舌側型を引き続き使用することでボディを成形することができる。図６に示す人工歯３１のボディ３２は、ボディ用の唇側型に対しコア用の舌側型を使用して成形したものである。
【００３０】
図７は、この発明の人工歯の更に他の実施形態を示す説明図である。
図７に示される人工歯４１も、上顎切歯（前歯）として示されており、最内層としてのコア４２と最外層としてのエナメル被覆層４４の２層からなるものである。
図７に示す人工歯４１は、基底部型、コア用の唇側型とコア用の舌側型、エナメル被覆層用の唇側型とエナメル被覆層用の舌側型を用いて成形すればよいことから、詳細な説明は省略する。
【００３１】
図８は、この発明の人工歯の更に他の実施形態を示す説明図であり、成形用型内の状態を示す。
図８に示される人工歯５１も、上顎切歯（前歯）として示されており、最内層としてのコア５２、中間層としてのボディ５３、最外層としてのエナメル被覆層５４の３層からなるものであるが、コア５２に設けられた維持孔５５の方向が図１に示す人工歯１と異なるものである。
図８に示す人工歯５１の製造は、基底部型５６に設けられたピン５７の方向が異なるものを使用する以外は、図１に示す人工歯の製造方法と同様であることから、詳細な説明は省略する。
【００３２】
図９は、この発明の人工歯の更に他の実施形態を示す説明図であり、成形用型内の状態を示す。
図９に示される人工歯６１も、上顎切歯（前歯）として示されており、最内層としてのコア６２、中間層としてのボディ６３、最外層としてのエナメル被覆層６４の３層からなるものであるが、歯冠の一部としての歯頸部から基底部にかけて、コア６２がボディ６３およびエナメル被覆層６４によって被覆されておらず、コア６２が歯冠部においても露出した点、および、コア６２に維持孔が設けられていない点が、図１に示す人工歯１と異なるものである。
【００３３】
図９に示す人工歯６１の製造においては、図に示すような凹部６６ａが形成された基底部型６６を使用する点に特徴があるものである。このような基底部型６６を使用することで、図には示していないが、コア用の唇側型、コア用の舌側型を分割する際に、成形されたコア６２のズレを防止できる。また、コア６２にボディ６３、エナメル被覆層６４を積層成形する際、コア、あるいは、コアにボディが積層した積層体のズレを防止することができる。その他は、ボディ用の唇側型とボディ用の舌側型、エナメル被覆層用の唇側型とエナメル被覆層用の舌側型の形状が異なることを除けば、図１に示す人工歯の製造方法と同様であることから、詳細な説明は省略する。
【００３４】
図１０は、この発明の人工歯の更に他の実施形態を示す説明図であり、成形用型内の状態を示す。
図１０に示される人工歯７１も、上顎切歯（前歯）として示されており、最内層としてのコア７２、中間層としてのボディ７３、最外層としてのエナメル被覆層７４の３層からなるものであるが、コア７２に維持突起７５が形成された点が、図１に示す人工歯１と異なるものである。
【００３５】
図１０に示す人工歯７１の製造においては、図に示すような孔７６ａが形成された基底部型７６を使用する点に特徴があるものである。このような基底部型７６を使用することで、人工歯７１の基底面にズレ防止用の維持突起７５が形成される。このズレ防止用の維持突起７５によって、図には示していないが、コア用の唇側型、コア用の舌側型を分割する際に、成形されたコア７２のズレを防止できる。また、コア７２にボディ７３、エナメル被覆層７４を積層成形する際のコア、あるいは、コアにボディが積層した積層体のズレを防止することができる。その他は、ボディ用の唇側型とボディ用の舌側型、エナメル被覆層用の唇側型とエナメル被覆層用の舌側型の形状が異なることを除けば、図１に示す人工歯の製造方法と同様であることから、詳細な説明は省略する。
図１０に示す人工歯７１に形成されたズレ防止用の維持突起７５は、人工歯７１を義歯床に埋設固定した場合には、人工歯７１の義歯床からの脱落防止のための機械的維持に役立つものである。
【００３６】
図１１は、この発明の人工歯の更に他の実施形態を示す説明図である。
図１１に示される人工歯８１は、下顎第１大臼歯として示されており、最内層としてのコア８２、中間層としてのボディ８３、最外層としてのエナメル被覆層８４の３層からなる。そして、この人工歯８１は、その基底面８１ａにおいてコア８２が大きく露出したものであって、ボディ８３は、コア８２を歯冠側において被覆しており、エナメル被覆層８４はボディ８３を被覆している。この人工歯８１は、歯冠形状が歯頸部８１ｂにおいてアンダーカットとなっており、天然歯の歯冠に似た形状となっている。また、この人工歯８１には、コア８２に維持孔８５が形成されている。
【００３７】
次に、図１１に示す人工歯８１の製造方法を説明する。以下において、コア、ボディ、エナメル被覆層用に色調等が調整された餅状レジンを用いるものであって、加熱することで、餅状レジンに添加された加熱重合触媒により餅状レジンが重合するものとする。
図１２は、図１１に示す人工歯を製造するための成形用型であって、（ａ）に、基底部型８７、（ｂ）に、コア用の頬側型８８ａとコア用の舌側型８８ｂ、（ｃ）に、ボディ用の頬側型８９ａとボディ用の舌側型８９ｂ、（ｄ）に、エナメル被覆層用の頬側型９０ａとエナメル被覆層用の舌側型９０ｂを示す。ここで、コア用の頬側型８８ａ、ボディ用の頬側型８９ａ、エナメル被覆層用の頬側型９０ａは、咬合面側等をも含んでいるものとして示されている。基底部型８７には、ズレ防止用のピン９１が設けられている。
【００３８】
図１２に示す成形用型を用いて、図１１に示す人工歯８１を製造するには、先ず、図１３（ａ）に示すように、基底部型８７、コア用の頬側型８８ａ、コア用の舌側型８８ｂによって形成されるキャビティ内に、コア用の餅状レジンを填入し、加熱重合させることで、コア８２を成形する。そして、コア用の頬側型８８ａ、コア用の舌側型８８ｂを分割し、成形されたコア８２が基底部型８７上に残置された状態とする。コア用の頬側型８８ａとコア用の舌側型８８ｂとの分割において、コア８２は基底部型８７に設けられたピン９１によってズレたりすることがない。また、仮にコアがずれたりした場合でも、コア８２に形成された維持孔８５をピン９１に嵌め直すことで、コア８２を基底部型８７の所定の位置に容易に戻すことができる。
【００３９】
次いで、コア８２が基底部型８７上に残置された状態において、図１３（ｂ）に示すように、コア８２が残置された基底部型８７、ボディ用の頬側型８９ａ、ボディ用の舌側型８９ｂによって形成されるキャビティ内に、ボディ用の餅状レジンを填入し、加熱重合させることで、コア８２にボディ８３を積層成形する。そして、ボディ用の頬側型８９ａ、ボディ用の舌側型８９ｂを分割し、コア８２にボディ８３が積層された積層体が基底部型８７上に残置された状態とする。ボディ用の頬側型８９ａとボディ用の舌側型８９ｂとの分割において、この積層体は基底部型８７に設けられたピン９１によってズレたりすることがない。また、仮にこの積層体がずれたりした場合でも、コア８２に形成された維持孔８５をピン９１に嵌め直すことで、この積層体を基底部型８７の所定の位置に容易に戻すことができる。
【００４０】
次いで、コア８２にボディ８３が積層された積層体が基底部型８７上に残置された状態において、図１３（ｃ）に示すように、積層体が残置された基底部型８７、エナメル被覆層用の頬側型９０ａ、エナメル被覆層用の舌側型９０ｂによって形成されるキャビティ内に、エナメル被覆層用の餅状レジンを填入し、加熱重合させることで、２層の積層体にエナメル被覆層８４を積層成形し、図１１に示す人工歯８１を得る。そして、エナメル被覆層用の頬側型９０ａ、エナメル被覆層用の舌側型９０ｂを分割すればよい。人工歯８１と基底部型８７との分離は、基底部型８７のピン９１が分離に妨げとならない方向（すなわち、分離方向に対しピンがアンダーカットとならない方向）に行えばよい。
【００４１】
この人工歯８１は、コア８２の基底面を除き、その外周をボディ８３が被覆し、また、ボディ８３の外周をエナメル被覆層８４が被覆した３層構造となっており、近心側、遠心側、頬側、舌側、咬合面側いずれの方向からも形状、色調を含め天然歯と遜色のない審美性が有るものであって、従来の人工歯とに比べ、格段に優れた審美性を有するものである。そして、人工歯８１の基底面に形成された維持孔８５は、義歯に使用する際には、義歯床からの脱落防止用の維持孔として機能する。
【００４２】
以上の実施の形態においては、この発明の人工歯として、２層、または、３層のものについて説明したが、これに限られず、４層以上であってもよいことはいうまでもない。その場合の４層以上の人口歯の製造は、前記した製造方法に準じて行えばよい。
その積層形態としては、前記実施の形態に限られず、例えば、人工歯の基底面から見て、ボディ、エナメル被覆層がコアを囲み、年輪状となっているものであってもよい。
なお、硬質レジン歯、コンポジットレジン歯の成形は、前記した餅状レジンを用いたレジン歯の成形方法に準じて行えばよいことから、詳細な説明は省略する。
【００４３】
【実施例】
次に、実施例を比較例とともに示しさらに詳しく説明する。
【００４４】
（実施例１）
図２に示すような基底部型、コア用の唇側型、コア用の舌側型、ボディ用の唇側型、ボディ用の舌側型、エナメル被覆層用の唇側型、エナメル被覆層用の舌側型を使用して、図１に示す３層からなる上顎切歯用の人工歯を前記したようにして成形した。
基底部用型に設けたズレ防止用のピンの直径は、２．５ｍｍ、長さは、３ｍｍとした。
平均分子量８５０，０００、平均粒径１２０μｍの粉末状ＰＭＭＡ１１重量部、ＭＭＡ２２重量部、加熱重合開始剤１重量部を使用し、コア用に色調を調製したコア用餅状レジン、ボディ用に色調を調製したボディ用餅状レジン、エナメル被覆層用に色調を調製したエナメル被覆層用餅状レジンを作製した。
加熱重合開始剤としては、ベンゾイルパーオキサイド１重量部を使用した。
【００４５】
コア用の餅状レジンの加熱重合温度、重合時間は、８０℃、１０ｍｉｎ、ボディ用の餅状レジンの加熱重合温度、重合時間は、８０℃、１０ｍｉｎ、エナメル被覆層用の餅状レジンの加熱重合温度、重合時間は、１００℃、１０ｍｉｎとした。
コア、ボディ、エナメル被覆層の各成形において、各唇側型、舌側型の分割は、何れも容易に行うことができた。また、成形後の人工歯と基底部型の分離も容易に行うことができた。
また、成形された人工歯は、形状、色調を含め天然の上顎切歯と遜色のない審美性を有するものであった。
【００４６】
【発明の効果】
この発明は、以上詳しく説明したように構成されているので、以下に記載されるような効果を奏する。
すなわち、この発明の人工歯によれば、前庭側（すなわち、前歯においては唇側、臼歯においては頬側）だけでなく舌側においても天然歯に似た審美性等を備えた安価な人工歯を得ることができることになる。
そして、この発明の人工歯の製造方法によれば、前庭側（すなわち、前歯においては唇側、臼歯においては頬側）だけでなく舌側においても天然歯に似た審美性等を備えた人工歯を、簡便にかつ安価に得ることができることになる。
【図面の簡単な説明】
【図１】この発明の人工歯の一実施の形態を示す説明図である。
【図２】図１に示す人工歯を製造するための成形用型の一例を示し、（ａ）は、基底部型、（ｂ）はコア用の唇側型とコア用の舌側型、（ｃ）はボディ用の唇側型とボディ用の舌側型、（ｄ）はエナメル被覆層用の唇側型とエナメル被覆層用の舌側型である。
【図３】図２に示す成形用型を用いて人工歯を製造する工程を示す説明図である。
【図４】図１に示す人工歯が義歯床に埋設固定された状態の説明図である。
【図５】この発明の人工歯の他の実施形態を示す説明図である。
【図６】この発明の人工歯の更に他の実施形態を示す説明図である。
【図７】この発明の人工歯の更に他の実施形態を示す説明図である。
【図８】この発明の人工歯の更に他の実施形態を示す説明図であり、成形用型内の状態を示す。
【図９】この発明の人工歯の更に他の実施形態を示す説明図であり、成形用型内の状態を示す。
【図１０】この発明の人工歯の更に他の実施形態を示す説明図であり、成形用型内の状態を示す。
【図１１】この発明の人工歯の更に他の実施形態を示す説明図である。
【図１２】図１１に示す人工歯を製造するための成形用型の一例を示し、（ａ）は、基底部型、（ｂ）はコア用の唇側型とコア用の舌側型、（ｃ）はボディ用の唇側型とボディ用の舌側型、（ｄ）はエナメル被覆層用の唇側型とエナメル被覆層用の舌側型である。
【図１３】図１２に示す成形用型を用いて人工歯を製造する工程を示す説明図である。
【図１４】従来の人工歯の一例を示す説明図である。
【図１５】図１４に示す人工歯の製造工程を示す説明図である。
【図１６】天然の前歯を示す説明図である。
【図１７】人工歯の製造工程の他例の一部を示す説明図である。
【符号の説明】
１  人工歯
２  コア
３  ボディ
４  エナメル被覆層
７  基底部型
８ａ  コア用の唇側型
８ｂ  コア用の舌側型
９ａ  ボディ用の唇側型
９ｂ  ボディ用の舌側型
１０ａ  エナメル被覆層用の唇側型
１０ｂ  エナメル被覆層用の舌側型
【図１】
2004298599.tif 000003
【図２】
2004298599.tif 000004
【図３】
2004298599.tif 000005
【図４】
2004298599.tif 000006
【図５】
2004298599.tif 000007
【図６】
2004298599.tif 000008
【図７】
2004298599.tif 000009
【図８】
2004298599.tif 000010
【図９】
2004298599.tif 000011
【図１０】
2004298599.tif 000012
【図１１】
2004298599.tif 000013
【図１２】
2004298599.tif 000014
【図１３】
2004298599.tif 000015
【図１４】
2004298599.tif 000016
【図１５】
2004298599.tif 000017
【図１６】
2004298599.tif 000018
【図１７】
2004298599.tif 000019